(57)【要約】【課題】簡易かつ迅速に所望するメニュー画像を選択することができるようにする。【解決手段】ドライバーの指の接触箇所を検出すると共に、接触箇所における指の押圧力を検出する操作部７により検出されるドライバーの操作に応じて複数のメニュー画像の表示を制御する表示制御部１５を備える。表示制御部１５は、メニュー画像表示領域１０Ｂに複数のメニュー画像を表示し、操作部７で検出される押圧力に応じて、メニュー画像表示領域１０Ｂに表示するメニュー画像を切り替え、操作部７で検出される接触箇所に対応するメニュー画像にフォーカスを設定してメニュー画像の選択を受け付ける。【選択図】図１
2020117145.tif 000002
【特許請求の範囲】
【請求項１】
複数のメニュー画像を表示してドライバーによるメニュー画像の選択を受け付ける車両用表示装置（１０）において、
前記ドライバーの指の接触箇所を検出すると共に、前記接触箇所における前記指の押圧力を検出する操作部（７）により検出される前記ドライバーの操作に応じて前記複数のメニュー画像の表示を制御する表示制御部（１５）を備え、
前記表示制御部（１５）は、
メニュー画像表示領域（１０Ｂ）に前記複数のメニュー画像を表示し、
前記操作部（７）で検出される前記押圧力に応じて、前記メニュー画像表示領域（１０Ｂ）に表示する前記メニュー画像を切り替え、
前記操作部（７）で検出される前記接触箇所に対応するメニュー画像にフォーカスを設定してメニュー画像の選択を受け付ける
車両用表示装置。
【請求項２】
前記表示制御部（１５）は、
前記操作部（７）で検出される接触箇所の変化による軌跡に対応するように、前記メニュー画像を順次表示して、前記メニュー画像表示領域（１０Ｂ）に前記複数のメニュー画像を表示する
請求項１に記載の車両用表示装置。
【請求項３】
前記表示制御部（１５）は、
階層の切り替えによるメニュー画像の切り替えにより、前記メニュー画像表示領域（１０Ｂ）に表示する前記メニュー画像を切り替える
請求項１又は請求項２に記載の車両用表示装置。
【請求項４】
前記表示制御部（１５）は、
同一階層におけるメニュー画像の切り替えにより、前記メニュー画像表示領域（１０Ｂ）に表示する前記メニュー画像を切り替える
請求項１、請求項２、請求項３の何れかに記載の車両用表示装置。
【請求項５】
前記表示制御部（１５）は、
前記指の押圧力が維持された状態で、前記指の接触箇所の変化により、前記接触箇所の変化方向のメニュー画像に、前記メニュー画像のフォーカスを設定する
請求項１、請求項２、請求項３、請求項４の何れかに記載の車両用表示装置。
【請求項６】
前記表示制御部（１５）は、
前記指の押圧力が維持された状態で、前記指の接触箇所の変化により、前記接触箇所の変化方向のメニュー画像に、前記メニュー画像のフォーカスを設定すると共に、カーソルを表示する
請求項１、請求項２、請求項３、請求項４の何れかに記載の車両用表示装置。
【請求項７】
前記表示制御部（１５）は、
前記指の押圧力が維持された状態で、一定時間、フォーカスの設定が変化しない場合、フォーカスを設定しているメニュー画像の選択を受け付ける
請求項１、請求項２、請求項３、請求項４、請求項５、請求項６の何れかに記載の車両用表示装置。
【請求項８】
前記表示制御部（１５）は、
前記メニュー画像の切り替えに供する押圧力を超える閾値以上の押圧力により、フォーカスを設定しているメニュー画像の選択を受け付ける
請求項１、請求項２、請求項３、請求項４、請求項５、請求項６、請求項７の何れかに記載の車両用表示装置。
【請求項９】
複数のメニュー画像を表示してドライバーによるメニュー画像の選択を受け付ける車両用表示装置の制御方法において、
メニュー画像表示領域（１０Ｂ）に前記複数のメニュー画像を表示し、
操作部（７）で前記ドライバーの指の接触箇所を検出すると共に、前記接触箇所における前記指の押圧力を検出し、
前記操作部（７）で検出される押圧力に応じて、前記メニュー画像表示領域（１０Ｂ）に表示する前記メニュー画像を切り替え、
前記操作部（７）で検出される前記接触箇所に対応するメニュー画像にフォーカスを設定してメニュー画像の選択を受け付ける
車両用表示装置の制御方法。
【請求項１０】
演算処理回路における実行により所定の処理手順を実行させる車両用表示装置の制御プログラムにおいて、
前記処理手順は、
メニュー画像表示領域（１０Ｂ）に複数のメニュー画像を表示した状態で、操作部（７）でドライバーの指の接触箇所を検出すると共に、前記接触箇所における前記指の押圧力を検出し、
前記操作部（７）で検出される押圧力に応じて、前記メニュー画像表示領域に表示する前記メニュー画像を切り替え、
前記操作部（７）で検出される前記接触箇所に対応するメニュー画像にフォーカスを設定してメニュー画像の選択を受け付ける
車両用表示装置の制御プログラム。
【発明の詳細な説明】
【技術分野】
【０００１】
本発明は、車両用表示装置、車両用表示装置の制御方法、車両用表示装置の制御プログラムに関するものである。
【背景技術】
【０００２】
従来、メニュー画像を表示してドライバーにより選択を受け付ける車両用表示装置に関する工夫が種々に提案されている。
【０００３】
特許文献１には、ヘッドアップディスプレイ装置による車両用表示装置において、ドライバーにより操作可能にステアリングホイールに複数の操作子を設け、この複数の操作子の配置に対応するようにメニュー画像を表示する構成が開示されている。
また特許文献２には、ヘッドアップディスプレイ装置による車両用表示装置において、ステアリングホイールに手を添えたドライバーにより操作可能にステアリングホイールに操作部を設けると共に、この操作部で検出されるドライバーによる指の接触箇所の変化による軌跡に対応するように、順次メニュー画像を表示し、指の接触箇所によりメニュー画像の選択を受け付ける構成が開示されている。
【先行技術文献】
【特許文献】
【０００４】
【特許文献１】特開２００４−３４５５４９号公報
【特許文献２】特開２０１５−０９３５５０号公報
【発明の概要】
【発明が解決しようとする課題】
【０００５】
ところで特許文献１に開示の構成においては、選択可能な項目の増大により多数のメニュー画像を表示すると、操作が著しく煩雑になり、簡易かつ迅速に所望するメニュー画像を選択することが困難になる問題がある。
この問題を解決する１つの方法として、特許文献２に開示の構成を適用して階層構造によりメニュー画像を表示することが考えられる。
しかしながらこのように特許文献２に開示の構成を適用する場合にあっても、さらに一段と簡易かつ迅速に所望するメニュー画像を選択できるようにすることが望まれる。
【０００６】
本発明は以上の点を考慮してなされたものであり、簡易かつ迅速に所望するメニュー画像を選択することができる車両用表示装置、車両用表示装置の制御方法、車両用表示装置の制御プログラムを提案することを目的とする。
【課題を解決するための手段】
【０００７】
係る課題を解決するため、請求項１の発明に係る車両用表示装置は、
複数のメニュー画像を表示してドライバーによるメニュー画像の選択を受け付ける車両用表示装置において、
前記ドライバーの指の接触箇所を検出すると共に、前記接触箇所における前記指の押圧力を検出する操作部により検出される前記ドライバーの操作に応じて前記複数のメニュー画像の表示を制御する表示制御部とを備え、
前記表示制御部は、
メニュー画像表示領域に前記複数のメニュー画像を表示し、
前記操作部で検出される前記押圧力に応じて、前記メニュー画像表示領域に表示する前記メニュー画像を切り替え、
前記操作部で検出される前記接触箇所に対応するメニュー画像にフォーカスを設定してメニュー画像の選択を受け付ける。
【０００８】
請求項１の構成によれば、指の押圧力の可変によりメニュー画像を切り替えることにより、指の押圧により多数のメニュー画像から所望するメニュー画像を含む複数のメニュー画像を表示した後、所望するメニュー画像を選択することができ、これにより簡易かつ迅速に所望するメニュー画像を選択することができる。
【０００９】
請求項２の発明は、請求項１の構成において、
前記表示制御部は、
前記操作部で検出される接触箇所の変化による軌跡に対応するように、前記メニュー画像を順次表示して、前記メニュー画像表示領域に前記複数のメニュー画像を表示する。
【００１０】
請求項２の構成によれば、操作部における指の操作に対応するようにメニュー画像を表示してドライバーによる操作を受け付けることができ、使い勝手を向上することができる。
【００１１】
請求項３の発明は、請求項１又は請求項２の構成において、
前記表示制御部は、
階層の切り替えによるメニュー画像の切り替えにより、前記メニュー画像表示領域に表示する前記メニュー画像を切り替える。
【００１２】
請求項３の構成によれば、階層構造によりメニュー画像を表示するようにして、簡易かつ迅速に階層を切り替えて所望するメニュー画像を選択することができる。
【００１３】
請求項４の発明は、請求項１、請求項２、請求項３の何れかの構成において、
前記表示制御部は、
同一階層におけるメニュー画像の切り替えにより、前記メニュー画像表示領域に表示する前記メニュー画像を切り替える。
【００１４】
請求項４の構成によれば、同一階層に多数のメニュー画像が存在する場合に、この多数のメニュー画像の一部を表示して所望するメニュー画像を選択することができ、これにより簡易に所望するメニュー画像を選択することができる。これにより使い勝手を向上して簡易かつ迅速に所望するメニュー画像を選択することができる。
【００１５】
請求項５の発明は、請求項１、請求項２、請求項３、請求項４の何れかの構成において、
前記表示制御部は、
前記指の押圧力が維持された状態で、前記指の接触箇所の変化により、前記接触箇所の変化方向のメニュー画像に、前記メニュー画像のフォーカスを設定する。
【００１６】
請求項５の構成によれば、指をスライド操作するだけで、メニュー画像のフォーカスを設定して所望するメニュー画像を選択することができる。
【００１７】
請求項６の発明は、請求項１、請求項２、請求項３、請求項４の何れかの構成において、
前記表示制御部は、
前記指の押圧力が維持された状態で、前記指の接触箇所の変化により、前記接触箇所の変化方向のメニュー画像に、前記メニュー画像のフォーカスを設定すると共に、カーソルを表示する。
【００１８】
請求項６の構成によれば、指をスライド操作するだけで、メニュー画像のフォーカスを設定し、カーソルによりフォーカスの設定を確認することができ、確実に所望するメニュー画像を選択することができる。
【００１９】
請求項７の発明は、請求項１、請求項２、請求項３、請求項４、請求項５、請求項６の何れかの構成において、
前記表示制御部は、
前記指の押圧力が維持された状態で、一定時間、フォーカスの設定が変化しない場合、フォーカスを設定しているメニュー画像の選択を受け付ける。
【００２０】
請求項７の構成によれば、一定の押圧力により触れ続けるだけで、メニュー画像を選択することができ、使い勝手を向上することができる。
【００２１】
請求項８の発明は、請求項１、請求項２、請求項３、請求項４、請求項５、請求項６、請求項７の何れかの構成において、
前記表示制御部は、
前記メニュー画像の切り替えに供する押圧力を超える閾値以上の押圧力により、フォーカスを設定しているメニュー画像の選択を受け付ける。
【００２２】
請求項８の構成によれば、強く押圧するだけの簡易な操作により、フォーカスを設定したメニュー画像を選択することができる。
【００２３】
請求項９の発明は、
複数のメニュー画像を表示してドライバーによるメニュー画像の選択を受け付ける車両用表示装置の制御方法において、
メニュー画像表示領域に前記複数のメニュー画像を表示し、
操作部で前記ドライバーの指の接触箇所を検出すると共に、前記接触箇所における前記指の押圧力を検出し、
前記操作部で検出される押圧力に応じて、前記メニュー画像表示領域に表示する前記メニュー画像を切り替え、
前記操作部で検出される前記接触箇所に対応するメニュー画像にフォーカスを設定してメニュー画像の選択を受け付ける。
【００２４】
請求項９の構成によれば、指の押圧力の可変によりメニュー画像を切り替えることにより、指の押圧により多数のメニュー画像から所望するメニュー画像を含む複数のメニュー画像を表示した後、所望するメニュー画像を選択することができ、これにより簡易かつ迅速に所望するメニュー画像を選択することができる。
【００２５】
請求項１０の発明は、
演算処理回路における実行により所定の処理手順を実行させる車両用表示装置の制御プログラムにおいて、
前記処理手順は、
メニュー画像表示領域に複数のメニュー画像を表示した状態で、操作部でドライバーの指の接触箇所を検出すると共に、前記接触箇所における前記指の押圧力を検出し、
前記操作部で検出される押圧力に応じて、前記メニュー画像表示領域に表示する前記メニュー画像を切り替え、
前記操作部で検出される前記接触箇所に対応するメニュー画像にフォーカスを設定してメニュー画像の選択を受け付ける。
【００２６】
請求項１０の構成によれば、指の押圧力の可変によりメニュー画像を切り替えることにより、指の押圧により多数のメニュー画像から所望するメニュー画像を含む複数のメニュー画像を表示した後、所望するメニュー画像を選択することができ、これにより簡易かつ迅速に所望するメニュー画像を選択することができる。
【発明の効果】
【００２７】
本発明の車両用表示装置、車両用表示装置の制御方法、車両用表示装置の制御プログラムによれば、簡易かつ迅速に所望するメニュー画像を選択することができる。
【図面の簡単な説明】
【００２８】
【図１】本発明の実施形態に係る車両用表示装置を示すブロック図である。
【図２】操作部を示す図である。
【図３】ガイド部とメニュー画像表示領域におけるメニュー画像との関係を示す図である。
【図４】メインメニュー画面に係る表示の説明に供する図である。
【図５】図４の続きの説明に供する図である。
【図６】サブメニュー画面に係る表示の説明に供する図である。
【図７】図６の続きの説明に供する図である。
【図８】図７の続きの説明に供する図である。
【図９】図７とは異なる例による説明に供する図である。
【図１０】階層の切り替えに係る処理手順を示すフローチャートである。
【図１１】図１０の続きの処理手順を示すフローチャートである。
【図１２】同一階層におけるメニュー画像の表示の切り替えに係る処理手順を示すフローチャートである。
【図１３】図１２の続きの処理手順を示すフローチャートである。
【発明を実施するための形態】
【００２９】
〔第１実施形態〕
図１は、本発明の第１実施形態に係る車両１を示す図である。
この車両１は、車両用表示装置１０により、ウインドシールド２を介して前方を視認したドライバーの視界に、複数のメニュー画像を表示し、ドライバーによる操作を受け付ける。
すなわち車両１は、ダッシュボード内に車両用表示装置１０を備え、この車両用表示装置１０から画像表示に供する出射光を出射し、この出射光をウインドシールド２でドライバーに向けて反射する。車両１は、このウインドシールド２の反射光により車両用表示装置１０による画像表示領域１０Ａを形成し、この画像表示領域１０Ａにおいてドライバーの前方空間に虚像を形成する。またこの画像表示領域１０Ａの右下隅に、メニュー画像表示領域１０Ｂを形成し、このメニュー画像表示領域１０Ｂに複数のメニュー画像を表示する。
【００３０】
車両１は、このメニュー画像に係る車両ＥＣＵ（ｅｎｇｉｎｅ  ｃｏｎｔｒｏｌ  ｕｎｉｔ）４Ａ、ナビＥＣＵ４Ｂ、オーディオＥＣＵ４Ｃ、空調ＥＣＵ４Ｄ、外部ＥＣＵ４Ｅ、視線検出部５、音声検出部６、操作部７を備える。
【００３１】
車両ＥＣＵ４Ａは、この車両の走行を制御するコントローラであり、車両用表示装置１０とデータ通信可能に構成される。車両ＥＣＵ４Ａは、このデータ通信により、車両用表示装置１０にこの車両１の車速、各種の警告等の車両情報を通知し、さらに車両用表示装置１０から通知されるドライバーによる走行モードの選択によりこの車両１の走行モードを切り替える。なおこの走行モードは、例えばスポーツモード、エコモードの走行モードである。
【００３２】
ナビＥＣＵ４Ｂは、ナビゲーションの処理に係るコントローラであり、車両用表示装置１０とのデータ通信により、車両用表示装置１０から通知されるドライバーの操作によりナビゲーションの処理を制御し、さらにナビゲーションの処理に係る各種の画像情報（例えばルートガイド等の画像情報）を車両用表示装置１０に通知する。
【００３３】
オーディオＥＣＵ４Ｃは、この車両１に設けられたオーディオシステムを制御するコントローラであり、車両用表示装置１０とのデータ通信により、オーディオシステムの操作に必要な各種の情報（例えば放送チャンネル、選択可能な楽曲の情報等である）を車両用表示装置１０に通知し、さらには車両用表示装置１０からの通知によりドライバーの操作に応じてオーディオシステムを制御する。
【００３４】
空調ＥＣＵ４Ｄは、この車両１の空調を制御するコントローラであり、車両用表示装置１０とのデータ通信により、空調に係る各種の情報（例えば現在の設定の情報である）を車両用表示装置１０に通知し、さらに車両用表示装置１０からの通知によりドライバーの操作に応じて空調を制御する。
【００３５】
外部ＥＣＵ４Ｅは、無線、有線により、この車両１に搭載された各種の情報機器（例えばスマートフォン等である）との間のデータ通信に供するコントローラである。車両１は、この外部ＥＣＵ４Ｅと車両用表示装置１０とのデータ通信により、この車両１に持ち込まれた各種の情報機器と車両用表示装置１０との間でデータ通信し、電話による通話、電子メールの閲覧、ブラウザによるインターネットの閲覧等を実行できるように構成される。
【００３６】
視線検出部５は、ドライバーの視線を検出する構成であり、例えばドライバーの顔の撮像結果を画像処理することによりドライバーの視線を検出する場合等、種々の構成を適用することができる。
音声検出部６は、ドライバーの音声を取得して解析することにより、ドライバーの音声による指示を検出する。
車両用表示装置１０は、これら視線検出部５及び音声検出部６により、ドライバーの視線、音声によっても、ドライバーの操作を受け付けることができるように構成される。
【００３７】
〔操作部〕
操作部７は、ドライバーの指の接触箇所を検出すると共に、この接触箇所における指の押圧力を検出する構成であり、ステアリングホイールを把持したドライバーの指により操作可能に、ステアリングスポークに設けられる。
【００３８】
図２は、この操作部７の構成を示す図である。図２（Ａ）は、平面図であり、図２（Ｂ）は、この図２（Ａ）をＡ−Ａ線により切り取って示す部分断面図である。なお図２（Ａ）では、ステアリングホイールを把持した状態で、操作部７を操作するドライバーの親指を示す。
操作部７は、いわゆるクリックホイールであり、平板形状により形成されて、指の操作位置をガイドする円形形状のガイド部７Ａが表側面に設けられる。
ガイド部７Ａは、円形形状による領域の外周に沿って延長する凸部により形成され、これにより操作部７は、ガイド部７Ａに指を添わせてスライドさせた場合、この指の接触箇所の軌跡が円形形状となるように構成される。
なおガイド部７Ａは、指を添わせて移動させた際に、この移動の軌跡が円形形状となるように形成すればよく、これにより円形形状による領域の外周に沿って延長する凹部により形成してもよい。また円形形状の領域の全体を突出させてガイド部を構成してもよく、円形形状の領域の全体を凹部としてガイド部を構成してもよい。
【００３９】
さらに操作部７は、ガイド部７Ａの外周に、ガイド部７Ａより外方に延出する凸条７Ｇが、一定の角間隔により設けられ、これにより指を添わせて移動させた際に、この凸条７Ｇによる凹凸により、メニュー画像との関係を容易に把握できるように構成される。
【００４０】
操作部７は、ベース材７Ｂに、指による接触箇所及び接触箇所の指による押圧力を検出可能なシート材（例えばタッチセンサフィルム材）７Ｄが配置され、さらに合成樹脂等の遮光性の絶縁材料によるシート材である表面カバー７Ｅが設けられる。なおタッチセンサフィルム材は、抵抗方式、静電容量方式等、種々の方式の構成を広く適用することができる。これにより操作部７は、例えば矢印Ｃにより示すように、ステアリングホイールを把持した状態で指を接触させて移動させる場合等、ガイド部７Ａを基準にして種々の操作を実行することができるように構成される。
これにより車両用表示装置１０は、操作部７を使用して指先の感覚により簡易にブラインド操作することができる。
【００４１】
なお操作部７には、各種クリックホイールの構成を広く適用することができ、さらにはクリックホイール以外の各種の構成を適用することができる。具体的には、ガイド部を備えていない、表側面が平坦なタッチパネル等を適用してもよい。
【００４２】
〔車両用表示装置〕
車両用表示装置１０（図１）は、入出力インターフェース（入出力ＩＦ）１１、操作情報取得部１２、副操作情報取得部１３、表示部１４、表示制御部１５を備える。
なお車両用表示装置１０は、この実施形態では車両１に据え付けて使用されるものの、ドライバーが携帯する情報携帯端末により構成するようにしてもよい。
【００４３】
入出力インターフェース１１は、車両ＥＣＵ４Ａ、ナビＥＣＵ４Ｂ、オーディオＥＣＵ４Ｃ、空調ＥＣＵ４Ｄ、外部ＥＣＵ４Ｅとの間のデータ通信に供する構成であり、車両ＥＣＵ４Ａ、ナビＥＣＵ４Ｂ、オーディオＥＣＵ４Ｃ、空調ＥＣＵ４Ｄ、外部ＥＣＵ４Ｅから取得した各種のデータを表示制御部１５に通知し、またこれとは逆に表示制御部１５から出力されるデータを車両ＥＣＵ４Ａ、ナビＥＣＵ４Ｂ、オーディオＥＣＵ４Ｃ、空調ＥＣＵ４Ｄ、外部ＥＣＵ４Ｅに出力する。
【００４４】
操作情報取得部１２は、この車両１に設けられた操作部７から、ドライバーの操作の情報である指の接触箇所の位置情報、接触箇所の押圧力の情報を取得して表示制御部１５に通知する。
副操作情報取得部１３は、視線検出部５からドライバーの視線検出結果を取得して表示制御部１５に出力し、また音声検出部６からドライバーの音声解析結果を取得して表示制御部１５に出力する。
【００４５】
表示部１４は、表示に供する画像を虚像により形成する部位であり、画像表示パネル、この画像表示パネルの周辺回路、この画像表示パネルの出射光をウインドシールド２に向けて出射する光学系等により形成される。
ここで画像表示パネルは、ＤＭＤ（Ｄｉｇｉｔａｌ  Ｍｉｒｒｏｒ  Ｄｅｖｉｃｅ）、液晶表示パネル、有機ＥＬ（Ｅｌｅｃｔｒｏ  Ｌｕｍｉｎｅｓｃｅｎｃｅ）パネル等、種々の構成を広く適用することができる。
【００４６】
なお表示部１４は、ヘッドアップディスプレイ装置による構成に限らず、例えばゴーグル形状によるヘッドマウントディスプレイ装置による構成等、ウインドシールド２を介して前方を視認したドライバーの視界に、メニュー画像を表示可能な各種の構成、さらには車両に実装されて実像により画像情報を表示する構成等、種々の構成を広く適用することができる。
【００４７】
〔表示制御部〕
表示制御部１５は、所定の処理手順を実行する演算処理回路によるコントローラであり、操作部７で検出されるドライバーの操作に応じてメニュー画像表示領域１０Ｂにおけるメニュー画像の表示を制御してドライバーによる操作を受け付け、さらにはドライバーの操作を入出力インターフェース１１を介して車両ＥＣＵ４Ａ、ナビＥＣＵ４Ｂ、オーディオＥＣＵ４Ｃ、空調ＥＣＵ４Ｄ、外部ＥＣＵ４Ｅに通知して各部の動作を制御する。
【００４８】
すなわち表示制御部１５は、ドライバーによる操作部７の操作により、図示しないメモリの記録に基づいて、画像表示領域１０Ａにメニュー画像を表示する。
このメニュー画像の表示において、表示制御部１５は、画像表示領域１０Ａのドライバー側下部に、円形形状によりメニュー画像表示領域１０Ｂを形成し、このメニュー画像表示領域１０Ｂに複数のメニュー画像を表示する。さらにこのメニュー画像表示領域１０Ｂに表示したメニュー画像の選択を受け付け、対応する車両ＥＣＵ４Ａ、ナビＥＣＵ４Ｂ、オーディオＥＣＵ４Ｃ、空調ＥＣＵ４Ｄ、外部ＥＣＵ４Ｅに通知する。
【００４９】
図３は、操作部７に設けられたガイド部７Ａとメニュー画像表示領域１０Ｂにおけるメニュー画像との関係を示す図である。
この実施形態では、図３（Ａ１）に示すように、ガイド部７Ａが円形形状により作成されていることにより、このガイド部７Ａに指を添わせて指をスライド操作して形成される接触箇所の軌跡は円形形状となる。これにより図３（Ａ２）に示すように、この円形形状による軌跡に対応する円形形状によりメニュー画像表示領域１０Ｂを形成し、このメニュー画像表示領域１０Ｂを放射状に分轄して作成される扇形状による各小領域にそれぞれメニュー画像を配置する。これにより操作部７で検出される接触箇所の変化による軌跡に対応するように、メニュー画像を順次表示して、メニュー画像表示領域１０Ｂに複数のメニュー画像を表示する。
【００５０】
この場合、メニュー画像の配置に対応するようにガイド部７Ａに指を添わせて指をスライド操作することができ、さらにはガイド部７Ａを基準にしてガイド部７Ａの中央Ｏから所望するメニュー画像に対応する方向に指をスライド操作することができ、ブラインド操作によりメニュー画像を選択することができる。すなわち接触箇所Ｐの座標情報より、ガイド部７Ａの中央Ｏから見た接触箇所Ｐの方向（角度θにより表す）と、メニュー画像表示領域１０Ｂの中央Ｏから見た方向が一致するメニュー画像Ｍが、ドライバーが所望するメニュー画像とすることにより、直感的に所望するメニュー画像を把握することができる。
【００５１】
なお図３（Ａ１）及び（Ａ２）との対比により図３（Ｂ１）及び（Ｂ２）に示すように、ガイド部７Ａを矩形形状により形成し、これに対応するようにメニュー画像表示領域１０Ｂを矩形形状により形成し、このメニュー画像表示領域１０Ｂの外形に沿って順次メニュー画像を表示するようにしてもよい。
【００５２】
なお図３（Ａ１）及び（Ａ２）との対比により図３（Ｃ１）及び（Ｃ２）に示すように、ガイド部７Ａの形状と異なる形状によりメニュー画像表示領域１０Ｂを形成し、メニュー画像を表示してもよい。この場合も、ガイド部７Ａの中央Ｏから見た接触箇所Ｐの方向に対して、メニュー画像表示領域１０Ｂの中央Ｏから見た方向が一致するメニュー画像Ｍが、ドライバーが所望するメニュー画像とすることにより、直感的に所望するメニュー画像を把握することができる。
【００５３】
またガイド部７Ａによる軌跡の形状、メニュー画像表示領域１０Ｂの外形形状は、端点を有さない閉図形や端点を有す開図形であってもよい。図３（Ｄ１）及び（Ｄ２）は、ガイド部７Ａによる軌跡が閉図形の楕円形であり、メニュー画像表示領域１０Ｂが開図形の半円形の場合である。
【００５４】
また図３（Ｅ１）及び（Ｅ２）は、ガイド部を設けていない場合の例であり、タッチパッドなどの２次元の面上より指の接触箇所Ｐを検出し、この２次元の面上の中央Ｏから接触箇所Ｐを見た方向（角度θ）に対して、メニュー画像表示領域１０Ｂの中央Ｏから見た方向が一致するメニュー画像Ｍが、ドライバーが所望するメニュー画像とすることにより、直感的に所望するメニュー画像を把握することができる。
【００５５】
表示制御部１５は、このようにしてメニュー画像表示領域１０Ｂに複数のメニュー画像を表示して、操作部７により検出されるドライバーの操作に応じてこの複数のメニュー画像の表示を制御する。具体的に、表示制御部１５は、操作部７で検出される押圧力に応じて、メニュー画像表示領域１０Ｂに表示するメニュー画像を切り替え、さらに操作部７で検出される接触箇所に対応するメニュー画像にフォーカスを設定してメニュー画像の選択を受け付ける。
なお表示制御部１５は、副操作情報取得部１３を介して取得される視線情報、音声の解析結果によっても、メニュー画像表示領域１０Ｂに表示するメニュー画像を切り替え、さらにメニュー画像の選択を受け付ける。これによりこの車両用表示装置１０は、視線入力、音声入力を副の操作手段として利用できるように構成される。
【００５６】
図４（Ａ）は、メニュー画像表示領域１０Ｂに表示されるメインメニュー画面を示す平面図である。このメインメニュー画面２０Ａは、ドライバーの操作により、最初に表示されるメニュー画面である。このメインメニュー画面２０Ａには、この車両のオーディオシステムの操作メニュー画面を開くメニュー画像２１ＭＡ、空調の操作メニュー画面を開くメニュー画像２１ＭＢ、メール操作メニュー画面を開くメニュー画像２１ＭＣ、携帯電話の操作メニュー画面を開くメニュー画像２１ＭＤ、燃料計に係る操作メニュー画面を開くメニュー画像２１ＭＥが設けられる。
【００５７】
表示制御部１５は、メニュー画像２１ＭＥにおいて矢印Ａ１により示すように、ガイド部７Ａの中央でドライバーの指の接触が検出されると、このメインメニュー画面２０Ａを表示する。なお操作部７の他の部位への接触を検出してメインメニュー画面２０Ａを表示するようにしてもよく、例えば他の操作子等の操作によりメインメニュー画面２０Ａを表示するようにしてもよい。
【００５８】
さらに表示制御部１５は、図４（Ｃ）において矢印Ｂ１により示すように、一定の閾値以下の軽い押圧力を維持した状態で、例えばこの接触開始位置からガイド部７Ａの外周方向に指の接触箇所が変化して、この接触箇所の変化に係る動きベクトルの変化により、図４（Ｄ）に示すように、接触箇所の変化方向のメニュー画像２１ＭＢに、メニュー画像のフォーカスを設定する。またフォーカスを設定したメニュー画像２１ＭＢにカーソルＫを表示する。
なおここで動きベクトルは、ガイド部７Ａの中央Ｏを基準にした接触箇所Ｐの位置を示すベクトルであり、図３に示すように、ガイド部７Ａの中央Ｏを基準にした極座標により定義しても良く、ガイド部７Ａの中央Ｏを基準にしたｘｙ座標により定義してもよい。
【００５９】
なおこれにより矢印Ｂ１により示すように、ガイド部７Ａの中央Ｏに指を添えた後、所望するメニュー画像の方向に指をスライド操作して所望するメニュー画像にフォーカス、カーソルＫを設定することができる。またその後、ガイド部７Ａに沿った指のスライド操作によりフォーカス、カーソルＫを設定したメニュー画像を変更することができる。なお指の接触開始位置が、ガイド部７Ａの中央Ｏより外方に変位した箇所である場合、当初より、この接触開始位置の方向に対応するメニュー画像にフォーカス、カーソルＫを設定するようにしてもよい。
なおカーソルＫに代えて、又はカーソルＫに加えて、フォーカスが設定されているメニュー画像２１ＭＢの輝度、色彩等を他のメニュー画像と異ならせるようにしてフォーカスの設定を視認できるようにしてもよい。
【００６０】
図５（Ａ）及び図５（Ｂ）により示すように、このようにして所望のメニュー画像２１ＭＢにフォーカスを設定した状態で、図５（Ｃ）において矢印Ａ２により示すように、接触箇所の押圧力が所定の閾値以上に増大すると、表示制御部１５は、図５（Ｄ）により示すように、メインメニュー画面２０Ａの表示を、フォーカス、カーソルＫが設定されているメニュー画像２１ＭＢの下位階層のメニュー画面に切り替える。これにより表示制御部１５は、階層の切り替えによるメニュー画像の切り替えにより、メニュー画像表示領域１０Ｂに表示するメニュー画像を切り替える。
【００６１】
ここでこの図５の例では、それまで空調の操作メニュー画面を開くメニュー画像２１ＭＢにカーソルＫが設定されている状態で、矢印Ａ２により示すように、押圧力が閾値以上に増大することにより、表示制御部１５は、空調のサブメニュー画面２０Ｂに表示を切り替える。
ここでこのサブメニュー画面２０Ｂには、空調のサブメニュー画面であることを示す表示２１ＭＧが設けられ、さらに空調の操作対象を選択するメニュー画像２１ＭＦ、２１ＭＨ〜２１ＭＯが設けられる。また図４（Ｃ）及び（Ｄ）について上述したと同様にして、押圧力を維持した状態で指をスライド操作することによりカーソルＫが表示され、この例では、空調のサブメニュー画面２０Ｂであることを示す表示２１ＭＧにカーソルＫが設定される。
【００６２】
表示制御部１５は、このようにして空調のサブメニュー画面２０Ｂを表示した状態で、図５（Ｅ）により示すように、押圧力が閾値を超えて低下すると、元の上位階層のメニュー画面（メインメニュー画面）２０Ａに表示を切り替える。
【００６３】
これに対して図６（Ａ）及び（Ｂ）により示すように、サブメニュー画面２０Ｂを表示した状態で、このサブメニュー画面２０Ｂへの表示の切り替えに供した押圧力（矢印Ａ２）が維持された状態で、矢印Ｂ２により示すように、接触箇所が変化すると、矢印Ｃ１により示すように、この接触箇所の変化方向のメニュー画像２１ＭＦに、メニュー画像のフォーカスを切り替える。すなわち指の接触箇所に係る動きベクトルに基いて接触箇所の変化方向のメニュー画像２１ＭＦに、メニュー画像のフォーカスを切り替える。またこのフォーカスを切り替えたメニュー画像２１ＭＦにカーソルＫの表示を切り替える。なおこの場合もカーソルＫに代えて、又はカーソルＫに加えて、フォーカスが設定されているメニュー画像２１ＭＦの輝度、色彩等を変化させるようにしてフォーカスの設定を視認できるようにしてもよい。
【００６４】
このようにして所望のメニュー画像２１ＭＦにフォーカスを設定した状態で、図６（Ｃ）おいて矢印Ａ３により示すように、接触箇所の押圧力がさらに所定の閾値以上に増大すると、表示制御部１５は、図６（Ｄ）により示すように、このサブメニュー画面２０Ｂの表示を、フォーカスが設定されているメニュー画像２１ＭＦの下位階層のメニュー画面に切り替える。これにより表示制御部１５は、階層の切り替えによるメニュー画像の切り替えにより、メニュー画像表示領域１０Ｂに表示するメニュー画像を切り替える。
【００６５】
ここでこの図６の例では、それまで温度の調整メニュー画面を開くメニュー画像２１ＭＦにカーソルＫが設定されている状態で、矢印Ａ３により示すように、押圧力が増大することにより、表示制御部１５は、最下位層である第１の温度調整のサブメニュー画面２０Ｃに表示を切り替える。
ここでこの第１の温度調整のサブメニュー画面２０Ｃには、温度調整のサブメニュー画面であることを示す表示２１ＭＰが設けられ、続くメニュー画面（この例では第２の温度調整のサブメニュー画面２０Ｄ）に表示を切り替えるメニュー画像２１ＭＱが設けられ、さらに設定温度を選択するメニュー画像２１ＭＲ〜２１ＭＹが設けられる。またこの場合、現在の設定温度に係るメニュー画像２１ＭＹにフォーカスが設定され、さらにカーソルＫが設定される。
ここでこの第１の温度調整のサブメニュー画面２０Ｃでは、現在の設定温度に係るメニュー画像２１ＭＹの他に、現在の設定温度から０．５℃単位で、順次、設定温度を低下させる７個のメニュー画像２１ＭＲ〜２１ＭＸが設けられる。
【００６６】
表示制御部１５は、このようにして第１の温度調整のサブメニュー画面２０Ｃを表示した状態で、図６（Ｅ）により示すように、押圧力が閾値を超えて低下すると、元の上位階層のメニュー画面（サブメニュー画面）２０Ｂに表示を切り替える。
【００６７】
これに対して図７（Ａ）及び（Ｂ）に示すように、第１の温度調整のサブメニュー画面２０Ｃを表示した状態で、図７（Ｃ）において矢印Ａ４により示すように、さらに押圧力が所定の閾値以上に増大すると、表示制御部１５は、図７（Ｄ）に示すように、第１の温度調整のサブメニュー画面２０Ｃの表示を、同様の最下位層である第２の温度調整のサブメニュー画面２０Ｄの表示に切り替える。
ここでこの第２の温度調整のサブメニュー画面２０Ｄは、温度調整のサブメニュー画面２０Ｃと同一の温度調整のサブメニュー画面であることを示す表示２１ＭＰが設けられ、続くメニュー画面（この例では、第１の温度調整のサブメニュー画面２０Ｃ）に表示を切り替えるメニュー画像２１ＭＱが設けられ、さらに設定温度を選択するメニュー画像２１ＮＡ〜２１ＮＨが設けられる。ここで設定温度を選択するメニュー画像２１ＮＡ〜２１ＮＨは、第１の温度調整のサブメニュー画面２０Ｃに設けられたメニュー画像２１ＭＲ〜２１ＭＹよる温度設定範囲（２９．５℃〜２６℃）には含まれていない範囲である２５．５℃以下の範囲で、０．５℃単位で、順次、設定温度を低下させるメニュー画像であり、第１の温度調整のサブメニュー画面２０Ｃに設けられた温度設定のメニュー画像２１ＭＲ〜２１ＭＹによる温度設定範囲に続く温度設定範囲について、ドライバーにより温度設定を受け付けるメニュー画像である。
なおこれによりこの第２の温度調整のサブメニュー画面２０Ｄの表示においては、現在の設定温度が２９．５℃であり、対応するメニュー画像が存在しないことにより、カーソルＫの表示は省略される。なおこの場合、同一の温度調整のサブメニュー画面であることを示す表示２１ＭＰにカーソルＫを設定するようにしてもよい。
【００６８】
表示制御部１５は、このようにして第２の温度調整のサブメニュー画面２０Ｄを表示した状態で、図７（Ｅ）に示すように、押圧力が閾値を超えて低下すると、元の第１の温度調整のサブメニュー画面２０Ｃに表示を切り替える。
なお第１及び第２の温度調整のサブメニュー画面２０Ｃ及び２０Ｄを表示し、続くメニュー画面に表示を切り替えるメニュー画像２１ＭＱにフォーカスを設定した状態で、押圧力が増大すると、表示制御部１５は、このメニュー画像２１ＭＱの選択を受け付け、第１及び第２の温度調整のサブメニュー画面２０Ｃ及び２０Ｄの間で表示を切り替える。
【００６９】
これらにより表示制御部１５は、同一階層におけるメニュー画像についても、押圧力に応じてメニュー画像表示領域における表示を切り替える。
【００７０】
また表示制御部１５は、図８（Ａ）に示すように、第１及び第２の温度調整のサブメニュー画面２０Ｃ及び２０Ｄを表示した状態で（図８（Ａ）は、第２の温度調整のサブメニュー画面２０Ｄを表示した例である）、図８（Ｂ）に示すように、押圧力（矢印Ａ４）を維持した状態で、矢印Ｂ３により示すように、接触箇所が変化すると、この接触箇所の変化方向のメニュー画像２１ＮＤに、メニュー画像のフォーカスを設定する。またこのフォーカスを設定したメニュー画像２１ＮＤにカーソルＫを表示する。なおカーソルＫに代えて、又はカーソルＫに加えて、フォーカスが設定されているメニュー画像２１ＮＤの輝度、色彩等を変化させるようにしてフォーカスの設定を表示してもよい。
【００７１】
またこのようにしてフォーカス、カーソルＫを設定して最下位層である第１及び第２の温度調整のサブメニュー画面２０Ｃ及び２０Ｄを表示した状態で、図８（Ｄ）に示すように、さらに押圧力が増大すると、表示制御部１５は、フォーカスを設定しているメニュー画像２１ＮＤの選択を受け付け、対応する外部機器（この例では空調ＥＣＵ４Ｄ）にドライバーの選択を通知する。
またこれに加えて、このようにして最下位層である第１及び第２の温度調整のサブメニュー画面２０Ｃ及び２０Ｄを表示して、指の押圧力が維持された状態で、一定時間、フォーカスの設定が変化しない場合、フォーカスを設定しているメニュー画像２１ＮＤの選択を受け付け、対応する外部機器にドライバーの選択を通知する。
【００７２】
なお上述の例では、上位階層のサブメニュー画面２０Ｂから第１の温度調整のサブメニュー画面２０Ｃに表示を切り替えた場合（図７（Ａ））、この第１の温度調整のサブメニュー画面２０Ｃの現在の設定温度に係るメニュー画像２１ＭＹにカーソルＫを表示する場合について述べたが、カーソルＫを表示しないようにしてもよい。
すなわちこの場合、図９（Ａ）及び（Ｂ）に示すように、押圧力の増大により、フォーカス、カーソルＫを設定しない状態で第１の温度調整のサブメニュー画面２０Ｃを表示する。
また図９（Ｃ）及び（Ｄ）に示すように、押圧力を維持した状態で、矢印Ｂ４により示すように、接触箇所の変化により、この接触箇所の変化方向のメニュー画像２１ＮＵに、フォーカス、カーソルＫを設定する。
【００７３】
図１０及び図１１は、このような階層の切り替えに係る表示制御部１５の処理手順を示すフローチャートである。
この処理手順において、表示制御部１５は、ステップＳＰ１において、第ｍ階層のメニュー画面を表示すると、続くステップＳＰ２において、指の接触箇所の押圧力を検出する。
また続くステップＳＰ３において、この検出した押圧力をそれまでの押圧力の累積加算値に加算し、続くステップＳＰ４において、この累積加算値に係る加算開始時から一定時間経過したか否か判断する。ここで否定結果が得られると、表示制御部１５は、ステップＳＰ２に戻り、これにより一定時間の累積加算値が得られるまで、ステップＳＰ２−ＳＰ３−ＳＰ４−ＳＰ２の処理手順を繰り返す。
これにより表示制御部１５は、一定時間、順次検出される押圧力を累積加算した後、ステップＳＰ４からステップＳＰ５に移り、この累積加算値を累積加算に供したサンプル数により割り算して平均値化し、さらに累積加算値を初期化する。これにより表示制御部１５は、区間平均により順次検出される押圧力を平均値化し、押圧力の処理における揺らぎによる押圧力の時間変動を防止する。なおこの平均値化の処理は、移動平均により実行してもよい。
【００７４】
続いて表示制御部１５は、ステップＳＰ６に移り、ステップＳＰ５で検出した押圧力の平均値ｇがｍ−１の階層に表示を戻すべきしきい値aを下回っているか否かを判定する。
ここで肯定結果が得られると、表示制御部１５は、ステップＳＰ６からステップＳＰ７に移り、ｍ−１の階層にメニュー画面の表示を戻した後、この処理手順を終了する。
【００７５】
これに対してステップＳＰ６で否定結果が得られると、表示制御部１５は、ステップＳＰ６からステップＳＰ８（図１１）に移る。ここで表示制御部１５は、ステップＳＰ５で検出した押圧力の平均値ｇが、ｍ−１の階層に戻るしきい値a以上、ｍ＋１の階層に進むしきい値b未満であるか否か判断することにより、この押圧力の平均値ｇが、現表示階層であるｍ階層の表示を継続すべき圧力値か否か判断する。
ここで肯定結果が得られると、表示制御部１５は、ステップＳＰ８からステップＳＰ９に移り、接触箇所の座標情報を取得して指の動きベクトルを取得する。また続くステップＳＰ１０において、この取得した動きベクトルに変化が有ったか否か判断することにより、ドライバーが指を移動させたか否か判断する。
ここで肯定結果が得られると、表示制御部１５は、ステップＳＰ１０からステップＳＰ１１に移り、フォーカスを設定してカーソルＫを表示し、続くステップＳＰ１２において、検出した動きベクトルに基づいて、ドライバーの指の移動に対応するようにフォーカス及びカーソルＫを移動させ、この処理手順を終了する。
【００７６】
これに対してステップＳＰ８で否定結果が得られると、ステップＳＰ８からステップＳＰ１３に移る。ここでこの場合、ステップＳＰ５で検出した押圧力の平均値ｇが、ｍ＋１の階層に進むしきい値b以上であることにより、カーソルが表示されているか否か判断し、カーソルが表示されている場合には、ステップＳＰ１４に移って、カーソルが設定されているメニュー画像に係る下位階層に、メニュー画像表示領域１０Ｂのメニュー画像の表示を切り替えるために、この表示に係るインデックス値を加算した後、この処理手順を終了する。これにより表示制御部１５は、続くこの処理手順の実行によりメニュー画像表示領域１０Ｂの表示を下位階層の表示に切り替える。
【００７７】
図１２及び図１３は、同一階層におけるメニュー画像の表示の切り替えに係る表示制御部１５の処理手順を示すフローチャートである。なおこの図１２及び図１３は、図８について上述した構成に係る処理手順である。
この処理手順において、表示制御部１５は、ステップＳＰ２１において、この処理手順に係る第ｍ階層のメニュー画面を表示すると、続くステップＳＰ２２において、指の接触箇所の押圧力を検出する。なおこの押圧力の検出は、図１０について上述した平均値により検出される。
【００７８】
続いて表示制御部１５は、ステップＳＰ２３において、この検出した圧力値に応じてこのｍ階層に設定された表示項目から対応するメニュー画像を表示する。これにより表示制御部１５は、上述した例では、第１及び第２の温度調整のサブメニュー画面２０Ｃ及び２０Ｄにおいて、表示に供する項目に係るメニュー画像を表示する。このように表示項目の選択に係る圧力値判定の閾値を複数設けることで、押圧力に応じて、同一階層でメニュー画像の表示を切り替えることができる。
【００７９】
続いて表示制御部１５は、ステップＳＰ２４において、指の動きベクトルを取得し、続くステップＳＰ２５において、この取得した動きベクトルに変化が有ったか否か判断することにより、ドライバーが指を移動させたか否か判断する。
ここで肯定結果が得られると、表示制御部１５は、ステップＳＰ２５からステップＳＰ２６に移り、フォーカスを設定してカーソルＫを表示し、続くステップＳＰ２７において、検出した動きベクトルに基づいて、ドライバーの指の移動に対応するようにフォーカス及びカーソルＫを移動させ、ステップＳＰ２８に移る。
これに対してステップＳＰ２５で否定結果が得られると、ステップＳＰ２８（図１３）に移る。
【００８０】
このステップＳＰ２８において、押圧力が一定時間以上維持されているか、または押圧力がさらに増大したか判断する。ここで否定結果が得られると、表示制御部１５は、ステップＳＰ２２に戻る。
これに対してステップＳＰ２８で肯定結果が得られると、表示制御部１５は、ステップＳＰ２８からステップＳＰ２９に移り、カーソルＫ、フォーカスが設定されているメニュー画像の選択を受け付け、このメニュー画像に係る項目が最下層のメニュー画像に係る項目か否か判断する。また最下層の項目である場合、ステップＳＰ２９からステップＳＰ３０に移り、ここで対応する処理を実行して空調ＥＣＵ４Ｄ等の対応する外部機器に通知する。また続いてステップＳＰ３１に移ってインデックス値を初期化することによりメニュー画像表示領域１０Ｂの表示をメインメニュー画面に切り替えた後、この処理手順を終了する。
【００８１】
これに対してメニュー画面では、最下位層のメニュー画像と、さらに下位階層のメニュー画面を選択するためのメニュー画像とが混在する場合があることにより、ステップＳＰ２９で否定結果が得られると、ステップＳＰ２９からステップＳＰ３２に移り、階層に係るインデックス値を加算することにより、さらに下位階層のメニュー画面を表示するようにしてこの処理手順を終了する。
【００８２】
以上の構成によれば、メニュー画像表示領域に複数のメニュー画像を表示し、指の押圧力に応じて、メニュー画像表示領域に表示するメニュー画像を切り替え、指の接触箇所に対応するメニュー画像にフォーカスを設定してメニュー画像の選択を受け付けることにより、指の押圧力の可変により多数のメニュー画像から所望するメニュー画像を含む複数のメニュー画像を表示した後、所望するメニュー画像を選択することができ、これにより簡易かつ迅速に所望するメニュー画像を選択することができる。
【００８３】
また操作部で検出される接触箇所の変化による軌跡に対応するように、メニュー画像を順次表示して、メニュー画像表示領域に複数のメニュー画像を表示することにより、ブラインド操作によりメニュー画像を選択するようにして、簡易かつ迅速に所望するメニュー画像を選択することができ、使い勝手を向上することができる。
【００８４】
またメニュー画像表示領域に表示するメニュー画像の切り替えが、階層の切り替えによるメニュー画像の切り替えであることにより、簡易かつ迅速に階層を切り替えて所望するメニュー画像を選択することができる。
【００８５】
またメニュー画像表示領域に表示するメニュー画像の切り替えが、同一階層におけるメニュー画像の切り替えであることにより、同一階層に多数のメニュー画像が存在する場合に、この多数のメニュー画像の一部を表示して所望するメニュー画像を選択することができ、これにより簡易に所望するメニュー画像を選択することができる。これにより使い勝手を向上して簡易かつ迅速に所望するメニュー画像を選択することができる。
【００８６】
また指の押圧力が維持された状態で、指の接触箇所の変化により、接触箇所の変化方向のメニュー画像に、メニュー画像のフォーカスを設定することにより、指をスライド操作するだけで、メニュー画像のフォーカスを設定して所望するメニュー画像を選択することができる。
【００８７】
またさらに指の押圧力が維持された状態で、指の接触箇所の変化により、接触箇所の変化方向のメニュー画像にフォーカスを設定すると共に、カーソルを表示することにより、指をスライド操作するだけで、メニュー画像のフォーカスを設定してカーソルによりフォーカスの設定を確認することができ、確実に所望するメニュー画像を選択することができる。
【００８８】
またさらに指の押圧力が一定時間維持されると、フォーカスを設定しているメニュー画像の選択を受け付けることにより、一定の押圧力により触れ続けるだけで、メニュー画像を選択することができ、使い勝手を向上することができる。
【００８９】
またさらにメニュー画像の切り替えに供する押圧力を超える閾値以上の押圧力により、フォーカスが設定されたメニュー画像の選択を受け付けることにより、強く押圧するだけの簡易な操作により、フォーカスを設定したメニュー画像を選択することができる。
【００９０】
〔他の実施形態〕
以上、本発明の実施に好適な具体的な構成を詳述したが、本発明は、本発明の趣旨を逸脱しない範囲で、上述の実施形態の構成を種々に変更することができる。
【００９１】
すなわち上述の実施形態では、下位階層への移行時、何らフォーカス及びカーソルを設定しないようにして、その後、フォーカス、カーソルを設定する場合等について述べたが、本発明はこれらに限らず、過去の使用の履歴に基いて選択が予測されるメニュー画像にフォーカスを設定する場合等、必要に応じて種々の設定を適用することができる。
【００９２】
また上述の実施形態では、表示制御部の処理により検出した押圧力を平均値化する場合について述べたが、本発明はこれに限らず、入力制御手段等を設けて表示制御部への入力の前に、事前に平均値化するようにしてもよい。
【００９３】
また上述の実施形態では、車両ＥＣＵ、ナビＥＣＵ、オーディオＥＣＵ、空調ＥＣＵ、外部ＥＣＵに係るメニュー画像を表示する場合について述べたが、本発明はこれに限らず、これら以外のメニュー画像を表示する場合にも広く適用することができる。
【符号の説明】
【００９４】
１  車両
２  ウインドシールド
４Ａ  車両
４Ｂ  ナビＥＣＵ
４Ｃ  オーディオＥＣＵ
４Ｄ  空調ＥＣＵ
４Ｅ  外部ＥＣＵ
７  操作部
１０  車両用表示装置
１０Ａ  画像表示領域
１０Ｂ  メニュー画像表示領域
１１  入出力インターフェース
１２  操作情報取得部
１３  副操作情報取得部
１４  表示部
１５  表示制御部
２０Ａ  メインメニュー画面
２０Ｂ〜２０Ｄ  サブメニュー画面
【図１】
2020117145.tif 000003
【図２】
2020117145.tif 000004
【図３】
2020117145.tif 000005
【図４】
2020117145.tif 000006
【図５】
2020117145.tif 000007
【図６】
2020117145.tif 000008
【図７】
2020117145.tif 000009
【図８】
2020117145.tif 000010
【図９】
2020117145.tif 000011
【図１０】
2020117145.tif 000012
【図１１】
2020117145.tif 000013
【図１２】
2020117145.tif 000014
【図１３】
2020117145.tif 000015